(57)【要約】【課題】一方の挟持部にヒンジを備えるクリップを使用して、該クリップの退避を可能とすることで、ハンガー枠への干物の嵌め付け、巻き付け、添え付け等で干物を筒状にして乾燥させることが容易な物干ハンガーを提供することを課題する。【解決手段】  ハンガー枠１に干物２挟むクリップ３が退避可能に取り付けられた物干しハンガーＡであって、上記ハンガー枠１は、所定の間隔で必要数のクリップ３を取り付けることができるもので、上側に吊鉤４取り付けられ、上記クリップ３は、一対の挟持片５と６の一方５が挟持部ａを基部イと先側ロに分割されてヒンジ７で接合され、先側ロをハンガー枠１へ取り付けられたものであることを特徴とする。【選択図】図１
2013126434.tif 000002
【特許請求の範囲】
【請求項１】
ハンガー枠に干物を挟むクリップが退避可能に取り付けられた物干ハンガーであって、
上記ハンガー枠は、所定の間隔で必要数のクリップを取り付けることができるもので、上側に吊鉤を取り付けられ、
上記クリップは、一対の挟持片の一方が挟持部を基部と先側に分割されてヒンジ接合され、先側をハンガー枠へ取り付けたものである
ことを特徴とする物干ハンガー。
【発明の詳細な説明】
【技術分野】
【０００１】
本発明は、洗濯物の乾燥に使用する物干ハンガーで、ハンガー枠にクリップが退避可能に取り付けられた物干しハンガーに関する。
【背景技術】
【０００２】
物干しハンガーにおいて、側面が斜め上方に面して傾斜された枠体と、前記枠体の側面に設けられたクリップと、前記枠体に吊下げ具が設けられ、前記クリップは、挟持部材が所定角度で付勢されて当接し、前記クリップの当接した挟持用端部は前記枠体の前記側面の下方に向けて取り付けられているとともに、前記挟持部材の一方は前記枠体の側面から放れて位置し、この離れた方の挟持部材の外側が側面は、吊り下げ状態でほぼ下方向を向いて揺動可能に設けられている構成のものは特許文献１により知られている。
【０００３】
上記ハンガーは、クリップが枠体へ一方の挟持部材で取り付けられて動かないため、クリップを紐等で吊り下げた汎用ハンガーで生じていたクリップ同士の絡み合いや、クリップと枠体又はその吊り下げ具、或いは洗濯かごやその他の用品への絡み付きを解消するのに有効であるが、上記構造では、クリップを退避させて枠体へ筒状の干物を嵌め付けたり、シート状の干物の巻き付け、添え付けをしてから、クリップを戻して挟み止めにすることで、乾燥し易い筒状にすることは不可能なものであった。
【先行技術文献】
【特許文献】
【０００４】
【特許文献１】特開２０００−９３６９２号公報
【発明の概要】
【発明が解決しようとする課題】
【０００５】
本発明は、一方の挟持部にヒンジを備えるクリップを使用して、該クリップの退避を可能とすることで、ハンガー枠への干物の嵌め付け、巻き付け、添え付け等で干物を筒状にして乾燥させることも可能な物干ハンガーを提供することを課題する。
【課題を解決するための手段】
【０００６】
前記課題を解決するため、請求項１に係る発明は、ハンガー枠に干物を挟むクリップが退避可能に取り付けられた物干しハンガーであって、上記ハンガー枠は、所定の間隔で必要数のクリップを取り付けることができるもので、上側に吊鉤を取り付けられ、上記クリップは、一対の挟持片の一方が挟持部を基部と先側に分割されてヒンジ接合され、先側をハンガー枠へ取り付けたものであることを特徴とする。
【発明の効果】
【０００７】
請求項１に係る発明によれば、ハンガー枠に取り付けられたクリップを退避させれば、ハンガー枠にズボン、スカート、袋、その他の筒状の干物を嵌め付け、バスタオル等のシート状の干物を巻き付け、添え付け等を行なってからクリップを戻して挟み止めすることで、干物を筒状に保持させることで型崩れを生じにくく速やかに乾燥させることができる。
靴下等の小さい干物の場合は、クリップに定位置で干物の一部を挟ませることで、多くの干物に所定の間隔を保持させて、日射や風当りのむらを少なくするとともに、風による絡まり合いも少なくすることができる。
枠体に取り付けられたクリップは、紐吊りクリップのように相互の絡み合いや他物への絡みつきヲ生じて、これを解くのに手をわずらわすこともない。
更に、クリップを退避位置に置けば、ハンガーの高さが半減するため、包装費、輸送費の節減効果が大きくて、使用者も小スペースへの収納ができて便利である。
【図面の簡単な説明】
【０００８】
【図１】本発明に係る物干ハンガーのクリップの一部を退避させた状態を示す正面図
【図２】同上の平面図
【図３】同上におけるクリップの拡大縦断側面図
【図４】同上の平面図
【図５】（ａ）（ｂ）は、同上のクリップで干物を挟ませる状態の説明図
【図６】（ａ）（ｂ）は、同上のクリップを退避させる状態の説明図
【発明を実施するための形態】
【実施例１】
【０００９】
以下に本発明に係る物干ハンガーの実施形態を図面に基づいて説明する。
【００１０】
図１、図２において符号Ａは、本発明に係る物干ハンガーを示す。この物干ハンガーＡは、ハンガー枠１に干物２を挟むクリップ３が退避可能に取り付けられた物干しハンガーであって、上記ハンガー枠１は、所定の間隔で必要数のクリップ３を取り付けることができるもので、上側に吊鉤４を取り付けられ、上記クリップ３は、一対の挟持片５、６の一方５が挟持部ａを基部イと先側ロをヒンジ７で屈伸可能に連結されて、先端側ロで上記ハンガー枠１へ取り付けられている構成のものである。
【００１１】
上記ハンガー枠１は、金属板の加工、合成樹脂の成形等により図２に示す通りの角丸の方形か、図面には示してない円形、楕円形、多角形等に形成されていて、上側に図１、図２に示す通り竿、ロープ、構造物等へ掛ける上記吊鉤４を紐、鎖等８で取り付けられている。
【００１２】
上記クリップ３は、一対の挟持片５と６が、各々の挟持部ａと操作部ｂの中間に設けられた枢着部ｃで接合され、両挟持片５と６に各々の挟持部ａ、ａが圧接されるように付勢するばね９を装着された構成は一般のクリップと同じであるが、上記一対の挟持片５、６の一方５が挟持部ａを操作部ｂに連なる基部イと先側ロに分割形成されて、基部イと先側ロをヒンジ７で連結することで屈伸可能として、上記先側ロでハンガー枠１へ取り付ける点で相違するものであって、金属板の加工、合成樹脂の成形等で形成されている。
【００１３】
上記クリップ３は、図６（ｂ）に示す通り退避させるとき、挟持片６の挟持部ａがばね９の付勢で閉じられない方が退避及び戻しの操作を行ない易いから、挟持片６の挟持部ａに他方の挟持片５の挟持部５の基部イへ当って、挟持片６の動きを抑制させる抑制部材１１が取り付けられている。
【００１４】
上記構成の物干ハンガーＡは、クリップ３が図１の右側に示す通りハンガー枠１の上側へ立ち上がって使用位置に置かれたとき、一対の挟持片５、６の操作部ｂ、ｂを図５（ａ）のように摘み寄せると、一方の挟持片６の挟持部ａが、他方の挟持片５の挟持部ａの先側ロから離隔して、先側ロとの間に隙間１１を生じさせるので、この隙間１１へ干物２の一部を差し入れて、操作片５と６の操作部ｂ、ｂを離れさせれば、挟持片６の挟持部ｂがばね９の付勢で他方の挟持片５の挟持部ａの先側ロへ押し付けられ、この先側ロと挟持部ａとで干物２を挟み付けて、位置ずれしないように確実に支持させるものである。
【００１５】
また、干物がズボン、スカート、袋等の筒状のものであって、ハンガー枠１に嵌め付けで支持させたいものや、バスタオル等のシート状のものであって、ハンガー枠へ巻き着けるか、添え付けるかして支持させたいものの場合は、クリップ３が図１の右側に示す通り使用位置にあると、嵌め着けや巻き着け、添え付けの妨げになるから、図６（ａ）に示すようにクリップ３をハンガー枠１の内側へ向って傾かせると、挟持片６の挟持部ａがばね９の不勢により閉じられて、付設された制止部材１０が他方の挟持片５の挟持部ａの基部イへ当ると閉じを抑制されるから、この状態でクリップ３を図６（ｂ）に示す通り、ハンガー枠１に制止されるまで内側へ倒れ込ませると、挟持片６の挟持部ａがハンガー枠１の周面よりも上側に位置する退避姿勢になるため、ハンガー枠１へ筒状の干物を嵌め付けたり、シート状の干物を巻き着けたり、添え付けたりすることができるようになるから、この状態で退避させてあるクリップ３をハンガー枠１の上側へ立ち上がる使用姿勢に戻して、図５（ａ）（ｂ）に示す通りの操作を行なえば、干物２をハンガー枠１へ筒状に支持させることが容易に行なえるものである。
【産業上の利用可能性】
【００１６】
本発明に係る物干ハンガーは、干物を挟むクリップを退避させることで、ハンガー枠へ干物を筒状に支持させて乾燥させ易くすることが可能となる。
【符号の説明】
【００１７】
Ａ    物干ハンガー
１    ハンガー枠
２    干物
３    クリップ
４    吊鉤
５、６    一対の挟持片
ａ、ａ    挟持部
ｂ、ｂ    操作部
イ    基部
ロ    先側
７    ヒンジ
【図１】
2013126434.tif 000003
【図２】
2013126434.tif 000004
【図３】
2013126434.tif 000005
【図４】
2013126434.tif 000006
【図５】
2013126434.tif 000007
【図６】
2013126434.tif 000008